(57)【要約】【課題】顧客や財宝等を招くという縁起物である招き猫の効果が大きくなることを連想させ、また形状の特徴から人を魅了する力が得られる、ライオンを模したライオン型招き猫を提供する。【解決手段】従来型の手で招いている体勢を持つ招き猫の形状である本体（ｅ）にライオンの特徴であるライオンのたてがみ（ｃ）を付加することで、猫ではなくライオンであるという認識が可能となる。猫科の動物の中で最大級であり、百獣の王の異名を持つライオンのイメージで、顧客や財宝等を招く効果が大きくなることを連想させることが出来る。ライオンと認識できるものであればたてがみ（ｃ）は立体形状でも二次元での表現により描かれたものでも該当し、形状も限定するものではない。また、たてがみ（ｃ）は本体（ｅ）と一体でも取り外し可能でも該当する。【選択図】図１
2013107376.tif 000002
【特許請求の範囲】
【請求項１】
前足を使い手招きしている体勢の招き猫形状の本体にライオンの特徴であるライオンのたてがみであることを認識できる立体形状のたてがみ、または二次元での表現のたてがみを有し、そのたてがみを有することでライオンであると認識できるライオンを模したライオン型招き猫。
【発明の詳細な説明】
【技術分野】
【０００１】  本発明は、ライオンのたてがみ形状を有し、ライオンを模したライオン型招き猫の形状に関する。
【背景技術】
【０００２】  従来の招き猫は図５、図６、図７、図８の（Ａ１）、（Ｂ１）、（Ｃ１）、（Ｄ１）に示すように陶器や樹脂や木等で立体的に形成、またはコンピュータグラフィックや絵画で平面的に描かれていて、右前足（ａ）か左前足（ｂ）のいずれか片方、または右前足（ａ）左前足（ｂ）両方を上方に挙げ、招く仕草をした状態であって、座った体勢のものや、立ち上がった体勢のもの、横に寝ている体勢のもの等、形状は様々なものがあり、色彩、模様等も種々様々で、顧客や財宝等を招くという縁起物として扱われている。
【発明の概要】
【発明が解決しようとする課題】
【０００３】  しかしながら、以上の技術によれば、従来の招き猫は古くから存在し、様々な場所で目にすることがあり、また地味であることから人を魅了する力に欠けているという欠点がある。
【課題を解決するための手段】
【０００４】  以上の課題を解決するために、招き猫がライオンを模すために、招き猫本体にライオンの特徴である、ライオンのたてがみ形状のものを立体的、もしくは色彩、模様等で付加する。
【発明の効果】
【０００５】  第一発明によれば、右前足もしくは左前足のいずれか片方、または右前足、左前足両方を上方に挙げ、招く仕草をしている招き猫の形状であって、陶器や樹脂や木等で立体的に形成、または平面図や絵画で平面的に描かれているものに、ライオンの特徴であるライオンのたてがみの形状のものを立体的、もしくは色彩、模様等で二次元の表現で付加することで、招き猫をライオンであると認識できる形状のライオン型招き猫を提供することにより、猫科の動物の中で最大級で、百獣の王という異名を持つライオンのイメージにより、たてがみ付きライオン型招き猫は顧客や財宝等を招く効果がより大きくなることを連想することが出来、形状的な特徴により人を魅了する力を引き出すことが出来る。
【図面の簡単な説明】
【図１】本発明のライオンを模したライオン型招き猫の一実施形態を示す正面図である
【図２】本発明のライオンを模したライオン型招き猫の一実施形態を示す正面図である
【図３】本発明のライオンを模したライオン型招き猫の一実施形態を示す正面図である
【図４】本発明のライオンを模したライオン型招き猫の一実施形態を示す正面図である
【図５】従来型の招き猫を示す正面図である。
【図６】従来型の招き猫を示す正面図である。
【図７】従来型の招き猫を示す正面図である。
【図８】従来型の招き猫を示す正面図である。
【発明を実施するための形態】
【実施例】
【０００６】  この発明の好ましい一実施形態の例であるライオンのたてがみ形状を有し、ライオンを模したライオン型招き猫（Ａ）、（Ｂ）、（Ｃ）、（Ｄ）を図１、図２、図３、図４に示す。従来の招き猫は図５、図６、図７、図８の（Ａ１）、（Ｂ１）、（Ｃ１）、（Ｄ１）に示すように陶器や樹脂や木等で立体的に形成、またはコンピュータグラフィックや絵画で平面的に描かれていて、右前足（ａ）か左前足（ｂ）のいずれか片方、または右前足（ａ）左前足（ｂ）両方を上方に挙げ、招く仕草をした状態であって、座った体勢のものや、立ち上がった体勢のもの、横に寝ている体勢のもの等、形状は様々なものがあり、色彩、模様等も種々様々なものが存在する。図１、図２、図４に示したライオンのたてがみ形状を有し、ライオンを模したライオン型招き猫（Ａ）、（Ｂ）、（Ｄ）は招き猫形状の本体（ｅ）にライオンのたてがみであると認識できる立体形状のたてがみ（ｃ）を有している。図３のライオンのたてがみ形状を有し、ライオンを模したライオン型招き猫（Ｃ）は招き猫形状の本体（ｅ）にライオンのたてがみであると認識できる色彩、模様によって二次元での表現で描かれたたてがみ（ｄ）を有している。図１、図２、図３、図４のライオンのたてがみ形状を有し、ライオンを模したライオン型招き猫（Ａ）、（Ｂ）、（Ｃ）、（Ｄ）は猫では無くライオンであるという認識が可能となる。【０００７】  図１、図２、図３、図４のライオンのたてがみ形状を有し、ライオンを模したライオン型招き猫（Ａ）、（Ｂ）、（Ｃ）、（Ｄ）のベースとなる形状は右前足（ａ）か左前足（ｂ）のいずれか片方、または右前足（ａ）左前足（ｂ）両方を上方に挙げ、招く仕草をした状態であれば陶器や樹脂や木等で形成された立体形状はもちろん、コンピュータグラフィックや絵画等の平面を含めいかなる体勢、色彩、模様等でも該当する。【０００８】  図１、図２、図３、図４のライオンのたてがみ形状を有し、ライオンを模したライオン型招き猫（Ａ）、（Ｂ）、（Ｃ）、（Ｄ）の立体形状のたてがみ（ｃ）と色彩、模様によって表現された平面での表現のたてがみ（ｄ）はライオンのたてがみと認識できるものであればいかなる立体形状、二次元での表現、色彩、模様でも該当する。【０００９】  図１、図２、図４のライオンのたてがみ形状を有し、ライオンを模したライオン型招き猫（Ａ）、（Ｂ）、（Ｄ）の立体形状のたてがみ（ｃ）は、本体（ｅ）と取り外しできない一体のものであっても、取り外しできる状態のものでも該当する。
【符号の説明】Ａ本発明のライオンのたてがみ形状を有し、ライオンを模したライオン型招き猫
Ｂ本発明のライオンのたてがみ形状を有し、ライオンを模したライオン型招き猫
Ｃ本発明のライオンのたてがみ形状を有し、ライオンを模したライオン型招き猫
Ｄ本発明のライオンのたてがみ形状を有し、ライオンを模したライオン型招き猫
Ａ１従来型の招き猫
Ｂ２従来型の招き猫
Ｃ３従来型の招き猫
Ｄ４従来型の招き猫
ａ右前足
ｂ左前足
ｃ立体形状のたてがみ
ｄ二次元での表現のたてがみ
ｅ本体
【図１】
2013107376.tif 000003
【図２】
2013107376.tif 000004
【図３】
2013107376.tif 000005
【図４】
2013107376.tif 000006
【図５】
2013107376.tif 000007
【図６】
2013107376.tif 000008
【図７】
2013107376.tif 000009
【図８】
2013107376.tif 000010